(57)【要約】【課題】本発明は、特に、通信機器などに用いられる高周波スイッチに関するものであり、小型化を目的とするものである。【解決手段】高周波スイッチを構成するダイオード１０，１２の向きを指定し、ダイオード１０，１２のオン・オフを制御する制御電圧の導通経路を形成するチョークコイル１４を直流成分遮断手段を介さず直接接地させるとともに、送信端子２とアンテナ端子１間に接続されたダイオード１０のオン時の寄生抵抗成分を受信端子４とグランド間に接続されたダイオード１２のオン時の寄生抵抗成分より小さなものを選択する。【選択図】図１
2005109632.tif 000002
【特許請求の範囲】
【請求項１】
カソードが送信端子に接続されアノードがアンテナ端子に接続された第１のダイオードと、前記アンテナ端子と受信端子間に接続されたストリップラインと、カソードが前記受信端子に接続されアノードがコンデンサを介して接地された第２のダイオードと、前記第２のダイオードと前記コンデンサとの間に接続され前記第１、第２のダイオードのオン・オフを一括制御する制御電圧を印加する制御端子とを備え、前記送信端子には一端が直流成分遮断手段を介さず直接接地されるチョークコイルを接続するとともに、前記第１のダイオードのオン時の寄生抵抗成分を前記第２のダイオードのオン時の寄生抵抗成分より小さなものを選択したことを特徴とする高周波スイッチ。
【発明の詳細な説明】
【技術分野】
【０００１】
本発明は特に通信機器などに用いられる高周波スイッチに関する。
【背景技術】
【０００２】
携帯電話などの通信機器における高周波スイッチは、図２に示されるようアンテナ端子１と送信端子２間に接続されたダイオード３と、アンテナ端子１と受信端子４間に接続されたストリップライン５と、受信端子４とグランド間に接続されたダイオード６と、２つのダイオード３，６を一括制御するために送信端子２とダイオード３間に制御電圧を印加する制御端子７が接続された構造となっている。
【０００３】
そして、このような高周波スイッチにおいては受信端子４の後段に圧電体から構成された表面弾性波フィルタ（以下ＳＡＷフィルタと称する）８が接続されることが主流であるためそのサージ対策が必要となるのであるが、従来このようなサージ対策はアンテナ端子１近傍に一端が接地されたインダクタ素子９を接続する程度のものであった。
【０００４】
なお、この出願の発明に関する先行技術文献情報としては、例えば、特許文献１が知られている。
【特許文献１】特開２００３−１８０４０号公報
【発明の開示】
【発明が解決しようとする課題】
【０００５】
しかしながら、このようなサージ対策においてはインダクタ素子９の自己誘導によって完全に対策しきれず、残余の電流がＳＡＷフィルタ８に到達してしまう恐れがあるためさらにサージ対策を施すことが必要となり、結果として高周波スイッチが大型化してしまうという問題があった。
【０００６】
そこで、本発明はこのような問題を解決しサージ対策が施された高周波スイッチを小型化することを目的とする。
【課題を解決するための手段】
【０００７】
この目的を達成するために本発明は、特にダイオードの向きを指定し、ダイオードのオン・オフを制御する制御電圧の導通経路を形成するチョークコイルを直流成分遮断手段を介さず直接接地させるとともに、送信端子とアンテナ端子間に接続されたダイオードのオン時の寄生抵抗成分を受信端子とグランド間に接続されたダイオードのオン時の寄生抵抗成分より小さなものを選択することで、付加的なサージ対策素子を設けることなく高周波スイッチのサージ対策性能を向上でき小型化を図ることができるのである。
【発明の効果】
【０００８】
本発明によれば、サージ対策が施された高周波スイッチを小型化することができるのである。
【発明を実施するための最良の形態】
【０００９】
以下、本発明の一実施形態について図を用いて説明する。なお上述した背景技術と同様の構成については同じ符号を付して説明する。
【００１０】
図１は携帯電話などの通信機器のＲＦ部に用いられる高周波スイッチの等価回路図である。この高周波スイッチは、アンテナ端子１に対して送信端子２或いは受信端子４の一方を選択的に接続するためのシングルポール・ダブルスロー（ＳＰＤＴ）型の高周波スイッチである。
【００１１】
この高周波スイッチは、カソードが送信端子２に接続されアノードがアンテナ端子１に接続されたダイオード１０と、一端がアンテナ端子１に接続され他端が受信端子４に接続され送信端子２から入力される送信信号の略１／４波長となるストリップライン５と、カソードがストリップライン５と受信端子４間に接続されアノードがコンデンサ１１を介してグランドに接地されたダイオード１２と、ダイオード１２のアノードとコンデンサ１１との間に接続された制御端子１３と、一端がダイオード１０のカソードと送信端子２間に接続され他端がグランドに接地されたチョークコイル１４とから形成されている。
【００１２】
そして、送信時には制御端子１３から正電圧を印加しこの正電圧がダイオード１０，１２とチョークコイル１４を経てグランドに接地させ２つのダイオード１０，１２を一括してオン状態とすることで、ストリップライン５の受信端子４がダイオードを介して接地され、アンテナ端子１からみた受信端子４側がオープン状態とできるとともに、送信端子２がダイオード１０を介してアンテナ端子１に接続され送信端子２から入力された送信信号をアンテナ端子１に出力させることができるのである。
【００１３】
また、受信時には制御端子１３から正電圧の印加を止めることでダイオード１０，１２を一括してオフ状態とすることで、アンテナ端子１と送信端子２間がダイオード１０によって遮蔽されるため、アンテナ端子１から入力された受信信号を受信端子４に出力させることができるのである。
【００１４】
そして、この高周波スイッチにおいては背景技術で述べたように受信端子４の後段にＳＡＷフィルタ８が接続されるためそのサージ対策としてアンテナ端子１とグランド間にインダクタ素子９が設けられているのであるが、さらにそのサージ対策効果を高めるために、送信端子２に接続されたダイオード１０が有するオン時の寄生抵抗成分を受信端子４に接続されたダイオード１２の寄生抵抗成分よりも小さなものを用いた構造としている。
【００１５】
この構造によればサージ対策として設けられたインダクタ素子９により減衰しきれなかった電流をアンテナ端子１から見てインピーダンスが低いダイオード１０を経てチョークコイル１４を介してグランドに接続できるので受信端子４側にその電流が流れることを防止できるのでＳＡＷフィルタ８に対するサージ対策効果を向上できるとともに、従来より用いられていた高周波スイッチを構成する回路をそのまま使用したことで別途サージ対策用の素子を付加することがないので、高周波スイッチを大型化することが防止できるのである。
【産業上の利用可能性】
【００１６】
本発明に係る高周波スイッチは、小型化できるという効果を有し、通信機器などに用いられ小型化が望まれる高周波スイッチに関して有用である。
【図面の簡単な説明】
【００１７】
【図１】本発明の高周波スイッチ及びその周辺回路を含む等価回路図
【図２】従来の高周波スイッチ及びその周辺回路を含む等価回路図
【符号の説明】
【００１８】
１  アンテナ端子
２  送信端子
４  受信端子
５  ストリップライン
１０  第１のダイオード
１１  コンデンサ
１２  第２のダイオード
１３  制御端子
１４  チョークコイル
【図１】
2005109632.tif 000003
【図２】
2005109632.tif 000004